(57)【要約】【課題】従来のオイル組成物に比して格段に優れた低トルク、低アウトガス、長寿命でかつヒステリシス特性の優れたピボットアッシー用軸受に用いることができるピボットアッシー軸受用フッ素系オイル組成物を提供する。  【解決手段】  フッ素系オイル（Ａ）とフッ化エーテル系ジアミド化合物（Ｂ）を質量比で、８０〜９９．１：２０〜０．１含んでなるピボットアッシー軸受用フッ素系オイル組成物。【選択図】  なし【特許請求の範囲】
【請求項１】
（Ａ）フッ素系オイル及び（Ｂ）一般式（i）
【化１】
2007126677.tif 000031
（式中Ｚは、式（ii）
【化２】
2007126677.tif 000032
で示されるｍは１〜５０の整数であるフッ化エーテル基を表し、
Ｙは一般式（iii）
【化３】
2007126677.tif 000033
で示されるｎは１〜３０の整数である脂肪族ジアミド基、
又は、一般式（iV）
【化４】
2007126677.tif 000034
で示される脂肪族環状ジアミド基、
又は一般式（V）
【化５】
2007126677.tif 000035
で示される芳香族ジアミド基、
又は一般式（Vi）
【化６】
2007126677.tif 000036
で示される環式ジアミド基を表す。）
で表わされる添加剤を含むピボットアッシー軸受用フッ素系オイル組成物。
【請求項２】
（Ａ）フッ素系オイルが、一般式（Vii）
【化７】
2007126677.tif 000037
（式中ｐは６〜１００の整数を表す）で示されるフッ化エーテルであり、(Ｂ)が一般式（ii）
【化８】
2007126677.tif 000038
（式中ｍは１〜５０の整数を表す）及び一般式（iii）
【化９】
2007126677.tif 000039
で表わされるフッ化エーテル脂肪族ジアミド系添加剤を含むピボットアッシー軸受用フッ素系オイル組成物。
【請求項３】
（Ａ）フッ素系オイルが、一般式（Vii）
【化１０】
2007126677.tif 000040
（式中ｐは６〜１００の整数を表す）で示されるフッ化エーテルであり、(Ｂ)が一般式（ii）
【化１１】
2007126677.tif 000041
（式中ｍは１〜５０の整数を表す）及び一般式（iV）
【化１２】
2007126677.tif 000042
で表わされるフッ化エーテル脂肪族環状ジアミド系添加剤を含むピボットアッシー軸受用フッ素系オイル組成物。
【請求項４】
（Ａ）フッ素系オイルが、一般式（Vii）
【化１３】
2007126677.tif 000043
（式中ｐは６〜１００の整数を表す）で示されるフッ化エーテルであり、(Ｂ)が一般式（ii）
【化１４】
2007126677.tif 000044
（式中ｍは１〜５０の整数を表す）及び一般式（V）
【化１５】
2007126677.tif 000045
で表わされるフッ化エーテル芳香族ジアミド系添加剤を含むピボットアッシー軸受用フッ素系オイル組成物。
【請求項５】
（Ａ）フッ素系オイルが、一般式（Vii）
【化１６】
2007126677.tif 000046
（式中ｐは６〜１００の整数を表す）で示されるフッ化エーテルであり、(Ｂ)が一般式（ii）
【化１７】
2007126677.tif 000047
（式中ｍは１〜５０の整数を表す）及び一般式（Vi）
【化１８】
2007126677.tif 000048
で表わされるフッ化エーテル環式ジアミド系添加剤を含むピボットアッシー軸受用フッ素系オイル組成物。
【請求項６】
成分（Ａ）のフッ素系オイル  対（Ｂ）の添加剤が質量比で、８０〜９９．９：２０〜０．１含んでなる請求項１ないし請求項５のいずれかひとつに記載されたピボットアッシー軸受用フッ素系オイル組成物。
【発明の詳細な説明】
【技術分野】
【０００１】
本発明は、ピボットアッシー軸受用フッ素系オイル組成物に関するものである。さらに詳しくは、低トルク、低アウトガス、長寿命でかつヒステリシス特性が良いピボットアッシー軸受用に好適なフッ素系オイル組成物に関する。
【背景技術】
【０００２】
最近、ピボットアッシー用軸受（ベアリング）に充填されるオイル組成物においては、低トルク、低アウトガス、長寿命でかつヒステリシス特性が良いオイル組成物を開発すべく、種々の研究がされてきた。最近のコンピュータの能力は、記憶容量と読み取り速度の飛躍的な増大による、高密度化、高速度化に向けて、いろいろな提案がされ改善されているが、このような記憶装置用の軸受に充填されるオイル組成物については、まだまだ改善の余地はのこされているのが実情である。
【発明の開示】
【発明が解決しようとする課題】
【０００３】
本発明者は、コンピュ−タのＨＤＤ（ハ−ドディスクドライブ）やＦＤＤ（フロッピ−ディスクドライブ）記憶装置、ＣＤＤ（コンパクトディスクドライブ）、ＭＯＤ（光磁気ディスクドライブ）など、情報機器において、とくに情報を書きこみ読みとる装置のピボットアッシー用軸受に関して、要求される性能すなわち、低トルク、低アウトガス、長寿命でかつヒステリシス特性が良いピボットアッシー用軸受に充填するピボットアッシー軸受用フッ素系オイル組成物を開発することを目的としている。
なお、本発明において、ピボットアッシー用軸受というのは、コンピュ−タのＨＤＤ（ハ−ドディスクドライブ）やＦＤＤ（フロッピ−ディスクドライブ）記憶装置、ＣＤＤ（コンパクトディスクドライブ）、ＭＯＤ（光磁気ディスクドライブ）、など情報機器周辺で用いられている情報を書きこみ読みとるためのアクチュエータを駆動する軸受をいう。本発明は、フッ素系オイル組成物とくに従来のピボットアッシー用軸受に比して格段に優れた低トルク、低アウトガス、長寿命でかつヒステリシス特性の優れたピボットアッシー用軸受に充填するピボットアッシー軸受用フッ素系オイル組成物を提供することを目的としてなされたものである。
【課題を解決するための手段】
【０００４】
本発明者は、前記した好ましい特性を有する軸受を開発するために種々研究を重ねた結果、特定の化学構造式をもつ添加剤とフッ素系オイルを含むことを特徴とするフッ素系オイル組成物をピボットアッシー用軸受内に封入すれば良い結果が得られることを見出し、この知見に基づいて本発明を完成するに至った。
すなわち、本発明は、
（Ａ）フッ素系オイル及び（Ｂ）一般式（i）
【化１９】
2007126677.tif 000002
（式中Ｚは、式（ii）
【化２０】
2007126677.tif 000003
で示されるｍは１〜５０の整数であるフッ化エーテル基を表し、
Ｙは一般式（iii）
【化２１】
2007126677.tif 000004
で示されるｎは１〜３０の整数である脂肪族ジアミド基、
又は、一般式（iV）
【化２２】
2007126677.tif 000005
で示される脂肪族環状ジアミド基、
又は一般式（V）
【化２３】
2007126677.tif 000006
で示される芳香族ジアミド基、
又は一般式（Vi）
【化２４】
2007126677.tif 000007
で示される環式ジアミド基を表す。）
で表わされる添加剤を含むピボットアッシー軸受用フッ素系オイル組成物である。
【０００５】
また、本発明は、（Ａ）フッ素系オイルが、一般式（Vii）
【化２５】
2007126677.tif 000008
（式中ｐは６〜１００の整数を表す）で示されるフッ化エーテルであり、(Ｂ)が一般式（ii）
【化２６】
2007126677.tif 000009
（式中ｍは１〜５０の整数を表す）及び一般式（iii）
【化２７】
2007126677.tif 000010
で表わされるフッ化エーテル脂肪族ジアミド系添加剤を含むピボットアッシー軸受用フッ素系オイル組成物である。
さらに、本発明は、  （Ａ）フッ素系オイルが、一般式（Vii）
【化２８】
2007126677.tif 000011
（式中ｐは６〜１００の整数を表す）で示されるフッ化エーテルであり、(Ｂ)が一般式（ii）
【化２９】
2007126677.tif 000012
（式中ｍは１〜５０の整数を表す）及び一般式（iV）
【化３０】
2007126677.tif 000013
で表わされるフッ化エーテル脂肪族環状ジアミド系添加剤を含むピボットアッシー軸受用フッ素系オイル組成物である。
またさらに、本発明は、（Ａ）フッ素系オイルが、一般式（Vii）
【化３１】
2007126677.tif 000014
（式中ｐは６〜１００の整数を表す）で示されるフッ化エーテルであり、(Ｂ)が一般式（ii）
【化３２】
2007126677.tif 000015
（式中ｍは１〜５０の整数を表す）及び一般式（V）
【化３３】
2007126677.tif 000016
で表わされるフッ化エーテル芳香族ジアミド系添加剤を含むピボットアッシー軸受用フッ素系オイル組成物である。
さらに、本発明は、  （Ａ）フッ素系オイルが、一般式（Vii）
【化３４】
2007126677.tif 000017
（式中ｐは６〜１００の整数を表す）で示されるフッ化エーテルであり、(Ｂ)が一般式（ii）
【化３５】
2007126677.tif 000018
（式中ｍは１〜５０の整数を表す）及び一般式（Vi）
【化３６】
2007126677.tif 000019
で表わされるフッ化エーテル環式ジアミド系添加剤を含むピボットアッシー軸受用フッ素系オイル組成物である。
また、本発明は、成分（Ａ）のフッ素系オイル  対（Ｂ）の添加剤が質量比で、８０〜９９．９：２０〜０．１含んでなる場合には、ピボットアッシー軸受用としてより好適に用いることが出来る。
【発明の効果】
【０００６】
本発明のフッ素系オイル組成物は、これをピボットアッシー用軸受に封入したときは、表３からも明らかなように、従来のポリオールエステル系オイル組成物を封入したピボットアッシー用軸受よりも、格段に優れた低トルク、低アウトガス、長寿命でかつヒステリシス特性の優れたものであることを確認することができた。
【発明を実施するための最良の形態】
【０００７】
まず、本発明のフッ素系オイル組成物を封入する代表的なピボットアッシー用軸受を図１に示す。
１は外輪、２は玉、３は内輪、４は内輪面取り、５は保持器（リテーナ）、６は外輪面取り、７はシールド、８はスナップリングである。
また、ｄは内径、Ｌｉは内輪肩径、Ｄｏは外輪肩径、Ｄは外径である。軸受空間容積とは、内外輪とシールドによって囲まれた空間容積よりボール、リテーナの体積を引いた残部空間容積をいう。
また、このピボットアッシー軸受が組み込まれた磁気ディスク装置を図２に示す。１０はピボット軸、２０は揺動アーム、３０は磁気ヘッド、４０は駆動装置、５０は磁気ディスク、６０はクランプ、７０はスピンドルモータ回転軸、８０はハウジングである。
駆動パルスが入力されると、駆動装置４０がピボット軸１０に支持された揺動アーム２０を揺動させ、磁気ヘッド３０が磁気ディスク５０の内周から外周又は外周から内周を半径方向に横断して、情報の読み込み又は書き込みを行う。  
このとき、揺動アーム２０が揺動する範囲は角度にして２０°〜３０°である。
本発明のフッ素系オイル組成物におけるヒステリシス特性とは、磁気ヘッド３０が、同じ道のりを通って、１往復したときの特性をいう。
本発明のフッ素系オイルと特定の化学構造式をもつ添加剤からなる組成物は、組み合わせが新規なものであり、特定の化学構造式をもつ添加剤の割合は、オイル組成物全体の０．１ないし２０質量％用いることが出来る。とくに１質量％ないし５質量％が望ましい。
０．１質量％以下だと、オイル組成物の表面張力が高くて軸受の細部にオイルが浸透しない恐れがあり、２０質量％以上添加しても表面張力の低下が見られないばかりか、オイル組成物の粘度が高くなって好ましくない。
なお、フッ化エーテルジアミドは公知の化合物であり、合成方法は種々考えられるが、フッ化エーテル分子の端末にカルボキシル基をもつ化合物とジアミン化合物から合成するのが好適である。フッ素オイルは、分子量が約１，０００から約１０，０００程度が望ましい。
１，０００以下だと蒸発しやすく、アウトガス特性が悪くなり１０，０００以上だと粘度が高くなりトルクが高くなる。本発明のフッ素系オイル組成物は、オイル組成物の粘度が  ５〜２，０００ｍｍ２／ｓ  である。
さらに、本発明のフッ素系オイル組成物は、通常フッ素系オイル組成物に用いられる各種の添加剤を含有することも可能である。
添加剤としては通常フッ素系オイル組成物に用いられている添加剤、すなわちフェニルα（β）ナフチルアミン、アルキルジフェニルアミン、フェノチアジン、ｔ−ブチルフェノール等の酸化防止剤、金属スルホネート、非イオン系、アミン系等の防錆剤等が挙げられる。
【実施例】
【０００８】
次に、実施例により本発明を更に詳細に説明するが、本発明はこれらの例によって何ら限定されるものではない。
一般式（Vii）で示される式中のｐを調節してそれぞれ異なった分子量のものを用いて、平均分子量１５００〜２５００（イ）、平均分子量２５００〜３５００（ロ）、平均分子量３０００〜４０００（ハ）および平均分子量７０００〜８０００（ニ）の４種類のフッ素系ベースオイル組成物を得た。
その特性を表１に示す。比較のためポリオールエステル（ホ）の特性も示す。
【表１】
2007126677.tif 000020
各例の試料の評価は以下に示す方法で行った。
フッ素系オイル組成物の実施例１〜６では、フッ素オイルとして一般式（Vii）
【化３７】
2007126677.tif 000021
で示されるフッ化エーテルを用いた。
また、添加剤として、一般式（ii）  ｍ＝１５〜２５
【化３８】
2007126677.tif 000022
及び一般式（iii）  ｎ＝２
【化３９】
2007126677.tif 000023
で表わされるフッ化エーテル脂肪族ジアミド系添加剤（Ｆ１）を用いた。
（Ｂ）成分の添加剤をフッ素系オイル対添加剤が質量比で、８０〜９９．９：２０〜０．１の割合で加えてフッ素系オイル組成物とした。
フッ素系オイル組成物実施例７〜１０では、（Ｂ）成分の添加剤として一般式（iii）のｎ＝６のフッ化エーテル脂肪族ジアミド（Ｆ２）を用いたほかは、実施例１と同様にしてフッ素系オイル組成物を得た。
フッ素系オイル組成物実施例１１〜１４では、（Ｂ）成分の添加剤として一般式（iii）のｎ＝１０のフッ化エーテル脂肪族ジアミド（Ｆ３）を用いたほかは、実施例１と同様にしてフッ素系オイル組成物を得た。
フッ素系オイル組成物実施例１５〜１７では、（Ｂ）成分の添加剤としてフッ化エーテルシクロヘキシルジアミド（Ｆ４）を用いたほかは、実施例１と同様にしてフッ素系オイル組成物を得た。
フッ素系オイル組成物実施例１８〜２０では、（Ｂ）成分の添加剤としてフッ化エーテルｐ−アミノアニリンジアミド（Ｆ５）を用いたほかは、実施例１と同様にしてフッ素系オイル組成物を得た。
フッ素系オイル組成物実施例２１〜２３では、（Ｂ）成分の添加剤としてフッ化エーテルピペラジンジアミド（Ｆ６）を用いたほかは、実施例１と同様にしてフッ素系オイル組成物を得た。
その配合成分、配合比を表２に示す。
【表２】
2007126677.tif 000024
摩擦係数は曽田式振子型摩擦試験機で測定した。曽田式振子型摩擦試験機とは、振り子の支点摩擦部に試料油を与え、振り子を振動させ、振り子の減衰度合から支点部の摩擦係数を算出する試験機である。測定条件は、縦糸荷重４０ｇ  １個、横糸荷重８０ｇ  ２個  初期振幅：０．５ラジアン  試験温度：室温で行った。
【０００９】
（比較例）
また、比較のために、（Ｂ）成分の添加剤について、添加剤を用いない場合や本発明で用いる添加剤以外の添加剤を用いて、他はフッ素系オイル組成物の実施例と同様にして、アクチュエータ転がり軸受用フッ素系オイル組成物を調製し比較例として表２に示した。
比較例１〜３は添加剤を用いないでアクチュエータ転がり軸受用フッ素系オイル組成物を調製した。
比較例４はＦ２を大量に用いてアクチュエータ転がり軸受用フッ素系オイル組成物を調製した。
比較例５は、
化学式（Viii）
【化４０】
2007126677.tif 000025
で示される添加剤を用いた他は実施例と同じようにして作成した。
比較例６は、
化学式（iX）
【化４１】
2007126677.tif 000026
で示される添加剤を用いた他は実施例と同じようにして作成した。
比較例７は、
化学式（X）
【化４２】
2007126677.tif 000027
で示される添加剤を用いた他は実施例と同じようにして作成した。
比較例８及び９は、
化学式（Xi）
【化４３】
2007126677.tif 000028
で示される添加剤を用いた他は実施例と同じようにして作成した。
比較例１０は、
化学式（Xii）
【化４４】
2007126677.tif 000029
（式中ｑは６〜１０である）で示されるベースオイルを用いて添加剤を用いないで作成した。
比較例１１は、
ポリオールエステル（ホ）をベースオイルとして用い添加剤としてＦ１を用いて実施例と同じようにして作成した。
【００１０】
実施例１〜２３及び比較例１〜１１で作成したフッ素系オイル組成物をピボットアッシー用軸受に軸受空間容積の５ｖｏｌ％で封入しテストを繰り返した結果を表３に示す。
【表３】
2007126677.tif 000030
軸受特性試験は、ピボットアッシー用軸受に被検体であるフッ素系オイル組成物を封入し、回転トルク、ヒステリシス特性、アウトガス特性を測定した。
回転トルクは、一定の与圧量で接着固定したピボットアッシー軸受の状態でトルクテスターにより、回転数２ｒｐｍで室温にて測定した。  アウトガス特性は、各試料を数ｍｇ採り、ダイナミックヘッドスペース法で測定した。
本発明におけるヒステリシス特性は、磁気ヘッド３０が、同じ道のりを通って、１往復したときの特性であり、評価試験は、磁気ヘッド３０が磁気ディスク上を内から外へ、そして同じ軌道上を外から内へ移動したとき、オフセット電流の電流値を測定することにより行った。  
トルクは低いものほど、アウトガス特性は少ないものほど、ヒステリシス特性は、オフセット電流の電流値の変化が小さいのものほど優れている。
次の４段階で評価した。
◎  ：優れている
○  ：良い
△  ：普通
×  ：劣る
【産業上の利用可能性】
【００１１】
本発明のピボットアッシー軸受用フッ素系オイル組成物は、従来のポリオールエステル系オイル組成物を封入したピボットアッシー用軸受よりも、格段に優れた低トルク、低アウトガス、長寿命でかつヒステリシス特性の優れたものであり、ピボットアッシー用軸受のみならず、情報機器一般で用いられているアクチュエータ用の軸受にも適用することが出来、産業上極めて利用価値が高いものである。
【図面の簡単な説明】
【００１２】
【図１】代表的なピボットアッシー用軸受の断面図である。
【図２】代表的な磁気ディスク装置の見取り図である。
【符号の説明】
【００１３】
１  外輪
２  玉
３  内輪
４  内輪面取り
５  保持器
６  外輪面取り
７  シールド
８  スナップリング
１０  ピボット軸
２０  揺動アーム
３０  磁気ヘッド
４０  駆動装置
５０  磁気ディスク
６０  クランプ
７０  スピンドルモータ回転軸
８０  ハウジング
【図１】
2007126677.tif 000049
【図２】
2007126677.tif 000050